(57)【要約】  電気的及び機械的な接続部は、部分的に剥離された接続ワイヤ及び部分的に絶縁された接続ワイヤの巻線を接続要素の周りに含み、当該接続要素の周りに前記接続ワイヤが巻き付けられている。【選択図】図１
2020528653.tif 000002
【特許請求の範囲】
【請求項１】
絶縁体を有する接続ワイヤとピン状の金属製接続要素との接続部であって、
前記接続ワイヤは、複数の巻線として前記接続要素（Ｍ）の周りに巻き付けられており、
前記巻線は、前記接続ワイヤが剥離されている第１のワイヤセクション（Ａ）と、前記絶縁体を有する第２のワイヤセクション（Ｉ）とを含む、接続部。
【請求項２】
前記第１及び第２のワイヤセクションは、それぞれ１つの巻線を含む、請求項１に記載の接続部。
【請求項３】
前記第１のワイヤセクション（Ａ）は、前記接続要素（Ｍ）と半田付け又は溶接されている、請求項１又は２に記載の接続部。
【請求項４】
前記接続要素（Ｍ）は前記接続ワイヤを介して電気部品（Ｂ）と接続されており、前記巻線は一列になって前記接続要素（Ｍ）を取り囲んで配置されており、
絶縁されたワイヤセクション（Ｉ）に属する１つの巻線は、前記巻線の列のうち、前記接続ワイヤが前記接続要素から離れて前記電気部品（Ｂ）へ導かれる端部に位置している、請求項１〜３のいずれか１項に記載の接続部。
【請求項５】
前記第２のワイヤセクション（Ｉ）は２つの巻線を含み、前記２つの巻線は、前記巻線の列のうち、前記接続ワイヤが前記接続要素から離れて前記電気部品（Ｂ）へ導かれる端部に位置している、請求項４に記載の接続部。
【請求項６】
前記接続ワイヤは、耐高温性のワイヤ絶縁体を含む、請求項１〜５のいずれか１項に記載の接続部。
【請求項７】
前記接続ワイヤは、銅又はアルミニウムを導体材料として含む、請求項１〜６のいずれか１項に記載の接続部。
【請求項８】
剥離された前記ワイヤセクション（Ａ）は、前記ワイヤの端部に位置している、請求項１〜７のいずれか１項に記載の接続部。
【請求項９】
前記電気部品（Ｂ）は、インダクタンス（コイル）である、請求項１〜８のいずれか１項に記載の接続部。
【発明の詳細な説明】
【技術分野】
【０００１】
本発明は、ワイヤとピン状の金属製接続要素との間、例えばコイルの巻線と接続ピンとの間の電気的な接続部である。
【背景技術】
【０００２】
そのような電気的な接続部の確立の際、特に接続部位において、ワイヤの破断が生じる可能性がある。その原因は、切断／クランプ接続又は半田付け若しくは溶接接続における機械的な又は熱的な作用によって生じる引張力である。
【発明の概要】
【課題を解決するための手段】
【０００３】
請求項１に記載の発明によれば、上述した欠点が回避され、確実な電気的接続部を確立するという課題が解決される。更に、温度変化耐性に関する特別な要件が満たされる。
【０００４】
従属請求項は、有利な実施例を提示する。
【０００５】
本発明は、絶縁体を有する接続ワイヤ及び金属製のピン状の接続要素を前提としている。その際、接続ワイヤは、接続要素の周りに複数回巻き付けられる。巻線は、接続ワイヤが剥離されている第１のワイヤセクションと、接続ワイヤが絶縁されている第２のワイヤセクションとを含む。接続要素の周りに接続ワイヤを巻き付けることによって、接続ワイヤと接続要素との間に大きな面積を有する接続部が得られる。大きな面積を有する接続部は、一般に、接続部の安定性に有利な効果をもたらす。巻線には、溶接又は半田付けプロセスによって接続要素と直接的に接続することができる剥離されたワイヤセクションが含まれている。剥離は、例えばダイヤモンドを散りばめた工具を用いたブラッシング／フライス加工のような機械的なプロセス、又は、レーザー照射によって行うことができる。
【０００６】
十分に大きな面積による接続部についていえば、接続ワイヤの絶縁されたセクションも剥離されたセクションも、それぞれ１つの巻線を含むことができる。複数の巻線により、接続要素に対して垂直な方向における接続ワイヤの移動の自由度は制限されており、剥離されたセクションによって低抵抗接点を有するセクションが存在することとなり、当該セクションは、溶接又は半田付けプロセスによって直接的に接続要素と接続され得る。
【０００７】
接続部を接続要素に対して平行にも安定的に構成し、より良好な電気的接触を得るために、接続部は、半田付け又は溶接部位を含むことができる。その際、剥離されたワイヤセクションは、接続要素と半田付け又は溶接される。半田又は溶加材は、接続ワイヤの剥離されたワイヤセクションと接続要素との間の強固な接続を確立する。
【０００８】
上述した巻線は、接続要素上で一列に配置されることができる。巻線は、２つのグループで区別される：絶縁されたワイヤセクションから成る巻線、及び、剥離されたワイヤセクションから成る巻線しかしながら、対応するワイヤセクションの長さは、巻線の整数倍に正確に対応する必要はない。巻線は、異なる部分において２つのワイヤセクションから成っていてもよい。
【０００９】
有利な実施形態では、絶縁されたワイヤセクションに属する巻線は、接続要素の周りの巻線のうち、接続ワイヤが外部から、即ち例えば電気部品から接続要素に導かれる端部に位置している。したがって、接続ワイヤが接続要素に到達した後の第１の巻線は、絶縁されたワイヤセクションの一部である。絶縁されたワイヤセクションは、接続要素と半田付け又は溶接されていないので、当該ワイヤセクションから成る巻線は、ある程度の可撓性を有する。これは、接続ワイヤの可撓性の又は変形可能な絶縁体によって支持される。接続部の一部としての可撓性の巻線により、接続ワイヤの熱的な及び機械的な変形又は引張応力が緩和される。したがって、例えば半田によって固定された接続部の構成要素への負荷が低減され、接続部の全体的な安定性が最適化される。
【００１０】
絶縁されたワイヤセクションは、第２の巻線を含むことができる。これは、絶縁されたワイヤセクションの第１の巻線に隣接する巻線の列に配置されており、したがって、巻線のうち、絶縁されたワイヤセクションが、それが属する電気部品に導かれる端部にも位置している。絶縁されたワイヤセクションから形成された第２の、場合によっては別の巻線によって、熱的な又は機械的な変形に対する、あるいは、接続ワイヤ又は接続部の引張応力に対する、更に高い安定性が与えられる。
【００１１】
接続ワイヤの絶縁されたセクションには、ラッカー絶縁体として具現することができる耐高温性の絶縁体を設けることができる。その際、「耐高温」特性は、300℃への加熱までの絶縁体の安定性によって定義される。400℃又は優先的には500℃の温度までその機能性を保持する絶縁体も好適である。この耐高温性の絶縁体は、接続ワイヤが接続要素と半田付け又は溶接されている場合にも、安定なままである。それにより、絶縁されたワイヤセクションにおける接続ワイヤと接続要素との間の金属接続が排除される。
【００１２】
接続ワイヤの導体材料は、銅又はアルミニウムを含んでもよく、あるいは、それらから成っていてもよい。２つの材料は安価であり、同時に高い導電率を有する。
【００１３】
剥離されたワイヤセクションは、接続ワイヤの端部にあってもよい。これは、そのような実施形態では、電気部品から接続要素までの接続ワイヤの経路において、剥離された及び場合によっては半田付け又は溶接されたワイヤセクションの上を通って続くワイヤセクションが存在しないことを意味している。
【００１４】
上述した部品のうちの１つは、インダクタンス、例えばコイルであってもよい。接続要素と接続されたそのようなコイルは、しばしば自動車産業又はセンサ技術において使用される。しかしながら、本発明は、これらに限定されるものではなく、むしろ、接続ワイヤの接続要素との接続が行われることが必要な全ての電気部品において、適用され得る。
【００１５】
その際、巻線の領域における接続ワイヤが、例えばコイルの製造における引張応力のような、製造に起因する引張応力を既に有していると、接続部の確立にとって有利である。
【００１６】
配置をより良好に示すため、図１及び２には、接続ワイヤ及び半田接続を有する接続要素の概略図が示されている。これらは、例示的な実施形態であり、縮尺を遵守することなく機能的な面に基づいて本発明を説明している。
【図面の簡単な説明】
【００１７】
【図１】接続ワイヤと接続要素との接続を、断面図で示している。
【図２】接続ワイヤと接続要素との接続を、斜視図で示している。
【発明を実施するための形態】
【００１８】
図１は、ピン状の金属製接続要素Ｍを備える、接続ワイヤＡ、Ｉの接続部の断面図を示している。接続要素Ｍの周囲には、接続ワイヤが巻き付けられており、当該接続ワイヤは、絶縁されたワイヤセクションＩと、剥離されたワイヤセクションＡとの両方を備えている。図には、接続要素Ｍの下端部に絶縁されたワイヤセクションＩを有する巻線が示されている。確実な電気的接続を維持するために、剥離されたワイヤセクションＡの巻線は、接続要素Ｍと半田付けされている。半田付けの際、半田Ｌは、接続要素Ｍの上部に亘って分配され、剥離されたワイヤセクションＡの全ての巻線を覆う。それに対して、絶縁されたワイヤセクションＩは、接続要素上にのみ載置され、場合によっては発生する引張応力によって変形する可能性がある。そのような引張応力は、半田接合部の温度変化によって発生し得る。絶縁されたワイヤセクションを有する巻線によって、接続部は、接続ワイヤの熱変形に耐えるのに十分な可撓性を有する。更に、絶縁されたワイヤセクションＩの絶縁体は、ある程度の可撓性を有しており、断面を変化させることによって引張応力を緩和することもできる。
【００１９】
図２は、接続ワイヤと接続要素Ｍとの間の接続を、斜視図で具体的に示している。接続ワイヤは、それぞれ、剥離されたワイヤセクションＡ及び絶縁されたワイヤセクションＩを有する巻線を備える。剥離されたワイヤセクションＡを有する巻線は、接続要素Ｍとの確実な接続を確立するために半田付けされている。その際、半田は、剥離されたワイヤセクションＡの全ての巻線及びその下にある接続要素Ｍを覆う。絶縁されたワイヤセクションＩの巻線は、半田Ｌで覆われていない。絶縁されたワイヤセクションＩは、最終の巻回の後、矢印Ｐの方向にある電気部品Ｂに導かれる。接続ワイヤは、そこで電気的に当該部品と接続されている。場合により発生する引張応力は、図示された矢印の方向Ｐに対して平行に向いている。
【００２０】
接続ワイヤと接続要素との間の接続部の実施形態は、図面に示された又は他の方法で説明された実施形態に限定されない。
【符号の説明】
【００２１】
Ａ  剥離されたワイヤセクション
Ｂ  電気部品
Ｉ  絶縁されたワイヤセクション
Ｌ  半田／溶接材料
Ｍ  ピン状の金属製接続要素
Ｐ  電気部品に向かう矢印の方向
【図１】
2020528653.tif 000003
【図２】
2020528653.tif 000004
【国際調査報告】
2020528653.tif 000005
2020528653.tif 000006
2020528653.tif 000007
2020528653.tif 000008